(57)【要約】【課題】導光板の固定が安定して行える面状照明装置を提供すること。【解決手段】実施形態の面状照明装置は、導光板と、複数の光源と、筐体とを備える。前記複数の光源は、前記導光板の一の側面に対向して配置される。前記筐体は、前記導光板および前記複数の光源を収容する。前記筐体は、該筐体の底板に設けられた支持部と、該支持部に前記筐体の底面内で膨張および収縮が可能に支持された部材とを有する。前記部材の線膨張係数は、前記導光板の線膨張係数に近似して設定される。前記導光板の主面の一部は、固定部材を介して前記部材に固定される。【選択図】図５
2020140861.tif 000002
【特許請求の範囲】
【請求項１】
導光板と、
前記導光板の一の側面に対向して配置された複数の光源と、
前記導光板および前記複数の光源を収容する筐体と、を備え、
前記筐体は、該筐体の底板に設けられた支持部と、該支持部に前記筐体の底面内で膨張および収縮が可能に支持された部材とを有し、
前記部材の線膨張係数は、前記導光板の線膨張係数に近似して設定され、
前記導光板の主面の一部は、固定部材を介して前記部材に固定される、
面状照明装置。
【請求項２】
前記支持部は、前記筐体の底板を貫通する孔により形成される、
請求項１に記載の面状照明装置。
【請求項３】
前記支持部は、前記筐体の底板の前記導光板を収容する側の面に設けられた凹部により形成される、
請求項１に記載の面状照明装置。
【請求項４】
前記部材に固定される前記導光板の主面の一部は、前記複数の光源が配置される前記導光板の一の側面に沿って設けられる、
請求項１〜３のいずれか一つに記載の面状照明装置。
【請求項５】
前記部材に固定される前記導光板の主面の一部は、少なくとも一つの前記固定部材を介して、前記部材に固定される、
請求項１〜４のいずれか一つに記載の面状照明装置。
【請求項６】
前記部材の前記筐体の底板の厚みに収容される部分は、前記膨張および前記収縮が可能な方向の長さが前記支持部の前記方向の長さよりも短くされていて、前記部材と前記支持部との間に隙間が設けられている、
請求項１〜５のいずれか一つに記載の面状照明装置。
【請求項７】
前記部材の前記筐体の底板の厚みに収容される部分における前記厚みの方向の端部には、前記部材から前記筐体の底板に沿って外方向に延伸した蓋部が設けられる、
請求項１〜６のいずれか一つに記載の面状照明装置。
【請求項８】
前記部材の前記筐体の底板の厚みに収容される部分が前記膨張および前記収縮が可能な方向と前記筐体の底面内で直交する方向で前記支持部の内壁面と対向する面または前記内壁面の一方に凸部が設けられ、他方に凹部が設けられる、
請求項１〜７のいずれか一つに記載の面状照明装置。
【請求項９】
前記支持部は、前記膨張および前記収縮が可能な方向に沿って複数に分割され、
前記部材は、分割された前記支持部の各部分に対応して設けられ、
前記導光板が中心を基準に配置される場合において、分割された前記支持部の各部分における前記膨張および前記収縮が可能な距離は、前記筐体の中央側よりも端部側において大きい、
請求項１〜８のいずれか一つに記載の面状照明装置。
【発明の詳細な説明】
【技術分野】
【０００１】
本発明は、面状照明装置に関する。
【背景技術】
【０００２】
導光板の側面から光を入射し、導光板の一方の主面から光を出射する面状照明装置が知られている。このような面状照明装置では、導光板が移動したり振動したりしないよう、導光板は筐体に固定されている必要がある。
【０００３】
導光板を筐体に固定する手法として、ゴム等の弾性部材を導光板の角部と筐体との間に挿入するものがある。しかし、この手法では、弾性部材を縮めた状態で導光板の角部と筐体との間に挿入しなければならないため、人手による組立が必要となり、自動組立に向かず、好ましくない。また、導光板の角部に弾性部材のサイズだけ空間が必要となるため、狭額縁化の妨げにもなる。
【０００４】
自動組立および狭額縁化に向く手法として、導光板の主面の一部が両面テープ等により筐体に固定されるものがある（例えば、特許文献１、２を参照）。
【先行技術文献】
【特許文献】
【０００５】
【特許文献１】特開２０１８−６０２８号公報
【特許文献２】特開２０１７−１８３０９６号公報
【発明の概要】
【発明が解決しようとする課題】
【０００６】
しかしながら、両面テープ等による固定では、樹脂等により形成される導光板と、金属等により形成される筐体とで線膨張率が異なり、温度変化により固定部分における筐体の長さと導光板の長さとに差が出ると、固定部分にせん断力がかかり、固定部分が剥がれてしまうことがあった。固定部分の剥がれは、同じ温度変化に対し導光板が長尺になればなるほど顕著になる。
【０００７】
本発明は、上記に鑑みてなされたものであって、導光板の固定が安定して行える面状照明装置を提供することを目的とする。
【課題を解決するための手段】
【０００８】
上述した課題を解決し、目的を達成するために、本発明の一態様に係る面状照明装置は、導光板と、複数の光源と、筐体とを備える。前記複数の光源は、前記導光板の一の側面に対向して配置される。前記筐体は、前記導光板および前記複数の光源を収容する。前記筐体は、該筐体の底板に設けられた支持部と、該支持部に前記筐体の底面内で膨張および収縮が可能に支持された部材とを有する。前記部材の線膨張係数は、前記導光板の線膨張係数に近似して設定される。前記導光板の主面の一部は、固定部材を介して前記部材に固定される。
【０００９】
本発明の一態様に係る面状照明装置は、導光板の固定が安定して行える。
【図面の簡単な説明】
【００１０】
【図１】図１は、一実施形態にかかるバックライトの構成例を示す正面図である。
【図２】図２は、バックライトの構成要素を示す分解斜視図である。
【図３】図３は、図１におけるＡ−Ａ断面図（１）である。
【図４】図４は、図１におけるＡ−Ａ断面図（２）である。
【図５】図５は、図１におけるＢ−Ｂ断面図である。
【図６】図６は、比較例となるバックライトの長手方向の断面図である。
【図７】図７は、比較例となるバックライトの短手方向の断面図である。
【図８】図８は、支持部の他の構成例を示すバックライトの短手方向の断面図（１）である。
【図９】図９は、支持部の他の構成例を示すバックライトの短手方向の断面図（２）である。
【図１０】図１０は、支持部の他の構成例を示すバックライトの短手方向の断面図（３）である。
【図１１】図１１は、支持部の他の構成例を示すバックライトの短手方向の断面図（４）である。
【図１２】図１２は、支持部の他の構成例を示すバックライトの短手方向の断面図（５）である。
【図１３】図１３は、支持部の他の構成例を示す筐体の正面図である。
【図１４】図１４は、バックライトの他の構成例における構成要素を示す分解斜視図である。
【図１５】図１５は、バックライトの短手方向の断面図である。
【発明を実施するための形態】
【００１１】
以下、実施形態に係る面状照明装置について図面を参照して説明する。なお、この実施形態によりこの発明が限定されるものではない。また、図面における各要素の寸法の関係、各要素の比率などは、現実と異なる場合がある。図面の相互間においても、互いの寸法の関係や比率が異なる部分が含まれている場合がある。また、１つの実施形態や変形例に記載された内容は、原則として他の実施形態や変形例にも同様に適用される。
【００１２】
図１は、一実施形態にかかるバックライト１の構成例を示す正面図である。なお、バックライト１は、面状照明装置の一例であり、ナビゲーション装置やインジケータ等における液晶表示装置の背面に設けられる。
【００１３】
図１において、バックライト１は、略長方形（略正方形でも可）で板状の外形をしており、一方の面（図における表側の面）は出射面となっており、内部から外部に向かって光が照射されるようになっている。ナビゲーション装置やインジケータ等に用いられる場合、液晶表示装置は出射面の側に装着される。
【００１４】
バックライト１は、筐体２と、基板３と、光源４と、導光板５と、インサート部材６とを備えている。筐体２は、底板の外側４辺に縁（側壁）を有した略矩形状をしており、板金やダイカスト等により形成される。筐体２の底板の一側（図の下側）には略矩形状の支持部２ａが設けられ、この支持部２ａには樹脂等によるインサート部材６が挿入され、インサート部材６は筐体２の底面内で膨張および収縮が可能に支持される。ここでは、支持部２ａおよびインサート部材６の長手方向に膨張および収縮が可能となっている。インサート部材６には導光板５の一の主面（図の裏側）の一部が両面テープや接着材等による固定部材を介して固定されている。インサート部材６に固定される導光板５の主面の一部は、複数の光源４が配置される導光板５の一の側面に沿って設けられるのが望ましい。これにより、光源４の発光面と導光板５の入光面の間のギャップ（距離）の安定化を図ることができるとともに、入光側を除く３辺の狭額縁化を実現することができる。
【００１５】
インサート部材６は、導光板５と線膨張係数が近似した樹脂等により、例えば板金へのインサート成形により形成される。ここで、線膨張係数が近似とは、線膨張係数が厳密に等しい必要はないが、使用環境における温度変化による膨張・収縮が接着等の固定に影響を与えない範囲で線膨張係数が近い値を有しているという意味である。導光板５が同等の線膨張係数を有するインサート部材６に固定されることで、温度変化により導光板５とインサート部材６はほぼ同様に膨張・収縮することとなり、固定部材の剥離が防止され、導光板の固定が安定して行えることになる。
【００１６】
また、インサート部材６は、筐体２の底板に垂直な方向に対しては移動が規制され、抜け落ちが防止されるようになっている。また、インサート部材６は、支持部２ａおよびインサート部材６の長手方向に対しては、両端に支持部２ａとの間に隙間が設けられているとともに、金属による支持部２ａに樹脂等によるインサート部材６が接することにより、膨張および収縮に応じて摺動可能となっている。なお、図１の例では、支持部２ａは貫通する孔により構成されるものとしているが、貫通しない凹部であってもよい。支持部２ａを貫通する孔により構成することで、支持部２ａを容易に形成することができる。また、支持部２ａを貫通しない凹部により構成することで、支持部２ａからインサート部材６の抜け落ち防止を実現することができる。インサート部材６の形状の詳細については後述する。インサート部材６は、部材の一例である。
【００１７】
基板３は、細長い薄板状であり、基板３上にはＬＥＤ（Light  Emitting  Diode）等による光源４が複数設けられている。なお、図１では、側面から発光するサイドビュー型のＬＥＤが例示されており、基板３は筐体２の底板に固定され、基板３上に設けられた光源４の側面（図の上側の面）から導光板５の側面に光が照射されるようになっている。
【００１８】
導光板５は、基板３の光源４から入射された光を導光し、出射面（図における表側の面）から光を出射する。
【００１９】
図２は、バックライト１の構成要素を示す分解斜視図である。図２において、筐体２には、複数の光源４が設けられた基板３と、導光板５とが装着される。基板３は、筐体２の底板に両面テープや接着材等により固定され、導光板５は支持部２ａに設けられたインサート部材６に両面テープや接着材等により固定される。両面テープや接着材等によることで、導光板５とインサート部材６との固定を容易に行うことができる。なお、筐体２と導光板５との間（インサート部材６との固定部分を除く）に反射シートが設けられる場合がある。また、導光板５の出射面側にはプリズムシートや拡散シート等の光学シートが設けられる場合がある。
【００２０】
図３は、図１におけるＡ−Ａ断面図であり、中央部分が省略されている。図３において、筐体２の底板には貫通孔によって支持部２ａが設けられており、支持部２ａにはインサート部材６が挿入されている。インサート部材６は、平面視（図１）において略矩形の帯状であり、図３における断面形状では、インサート部材６の筐体２の底板の厚みに収容される部分は、長手方向（膨張および収縮が可能な方向）の長さが支持部２ａの長手方向の長さよりも短くされていて、インサート部材６と支持部２ａとの間に隙間が設けられている。支持部２ａとインサート部材６との間の隙間は、インサート部材６の使用環境における温度変化に応じた長手方向への膨張・収縮を考慮して決められており、最大に膨張した状態で隙間が埋まる程度に設定される。隙間が設けられることで、使用環境における温度変化によりインサート部材６が膨張・収縮しても、インサート部材６は支持部２ａ内に安定して支持される。また、インサート部材６の筐体２の底板の厚みに収容される部分における厚みの方向の端部には、インサート部材６から筐体２の底板に沿って外方向に延伸した蓋部６ａが設けられ、インサート部材６が支持部２ａから抜け落ちるのが防止されるようになっている。
【００２１】
また、導光板５の主面の一部（図の下側の光源４寄りの部分）は、平面視で短冊状の固定部材７によりインサート部材６の一方の面（図の上側の面）に固定されている。固定部材７は、両面テープや接着材等によるものである。
【００２２】
図４は、図１におけるＡ−Ａ断面図の他の例であり、導光板５とインサート部材６との固定が、一体の短冊状ではなく、飛島状に複数の固定部材７により行われている点が異なる。なお、個々の固定部材７の長さや配置の間隔は図示のものに限られず、導光板５とインサート部材６との固定に必要とされる強度に応じて変えることができる。また、例えば、隣接する光源４間の前方に相当する複数の領域に個々の固定部材７を配置してもよい。
【００２３】
図５は、図１におけるＢ−Ｂ断面図であり、光源４側から遠い側の部分（図の右側の部分）は省略されている。図５において、筐体２の底板の内面には基板３が固定され、基板３の上には光源４が設けられている。光源４はサイドビュー型のＬＥＤであり、図の右方向に対して光を照射し、導光板５の側面に光が入射される。また、筐体２の底板には貫通孔によって支持部２ａが設けられており、支持部２ａにはインサート部材６が挿入されている。また、インサート部材６の筐体２の底板の厚みに収容される部分における厚みの方向の端部には、インサート部材６から筐体２の底板に沿って外方向に延伸した蓋部６ａが形成されている。これにより、インサート部材６が支持部２ａにおいて長手方向以外に移動が規制され、抜け落ちが防止されるようになっている。インサート部材６の短手方向には支持部２ａの内壁面との間に隙間が設けられていないが、長手方向と同様に、使用環境における温度変化による膨張・収縮を吸収する隙間が設けられてもよい。
【００２４】
図６は、比較例となるバックライト１１の長手方向の断面図であり、中央部分が省略されている。図７は、比較例となるバックライト１１の短手方向の断面図であり、光源１４側から遠い側の部分（図の右側の部分）は省略されている。図６および図７において、底板と外側４辺の縁（側壁）とを有した筐体１２の底板の内面には、基板１３が固定され、基板１３の上には光源１４が設けられている。光源１４はサイドビュー型のＬＥＤであり、図の右方向に対して光を照射し、導光板１５の側面に光が入射される。
【００２５】
また、筐体１２の底板の内面には、両面テープや接着材等による固定部材１７を介して導光板１５の主面の一部が固定されている。そのため、使用環境における温度変化で導光板１５が膨張すると、金属製の筐体１２と樹脂等による導光板１５との線膨張率の違い（金属よりも樹脂等の線膨張係数が大きい）により、固定部材１７を挟んだ部分の筐体１２側の長さと導光板１５側の長さとに差が出て、固定部材１７にせん断力がかかり、固定部材１７が剥がれてしまうことがある。これにより、導光板１５の固定は不十分となり、バックライト１１としての機能に影響が出てしまうことがある。
【００２６】
一方、図１〜図５に示された実施形態のバックライト１によれば、固定部材７を介して固定されるインサート部材６と導光板５とが、線膨張係数が近似して設定されているため、使用環境における温度変化による導光板１５の膨張・収縮の長さとインサート部材６の膨張・収縮の長さとが同等になり、固定部材７にせん断力がかかることがなくなり、かかる要因で固定部材７が剥がれてしまうことがなくなる。よって、バックライト１としての機能に影響が出ることを防止することができる。
【００２７】
図８は、支持部２ａの他の構成例を示すバックライト１の短手方向の断面図であり、光源４側から遠い側の部分（図の右側の部分）は省略されている。なお、一部が拡大されて示されている。図８において、図５に示された実施形態と異なるのは、支持部２ａおよびインサート部材６の短手方向において、支持部２ａの内壁面と、これと対向するインサート部材６の面との断面形状である。その他の構成は図５と同様である。
【００２８】
すなわち、インサート部材６の筐体２の底板の厚みに収容される部分が膨張および収縮が可能な方向と筐体２の底面内で直交する方向（図の左右方向）で支持部２ａの内壁面と対向する面または支持部２ａの内壁面の一方に凸部が設けられ、他方に凹部が設けられる。図８の例では、支持部２ａ側に断面が略三角形状の凸部２ｂが設けられており、インサート部材６側には対応する略三角形状の凹部６ｂが設けられている。なお、インサート部材６には、図３〜図５におけるような蓋部６ａは設けられていないが、設けられるようにしてもよい。また、凸部２ｂと凹部６ｂとの間にも、使用環境における温度変化による膨張・収縮を吸収する隙間が設けられてもよい。
【００２９】
図９は、支持部２ａの他の構成例を示すバックライト１の短手方向の断面図であり、光源４側から遠い側の部分（図の右側の部分）は省略されている。なお、一部が拡大されて示されている。図９において、図８に示された実施形態と異なるのは、凸部と凹部とが逆になっている点である。その他の構成は図８と同様である。
【００３０】
すなわち、図９において、支持部２ａ側に断面が略三角形状の凹部２ｃが設けられており、インサート部材６側には対応する略三角形状の凸部６ｃが設けられている。
【００３１】
図１０は、支持部２ａの他の構成例を示すバックライト１の短手方向の断面図であり、光源４側から遠い側の部分（図の右側の部分）は省略されている。なお、一部が拡大されて示されている。図１０において、図８に示された実施形態と異なるのは、凸部と凹部との形状が異なる点である。その他の構成は図８と同様である。
【００３２】
すなわち、図１０において、支持部２ａ側に断面が段差状の凸部２ｄが設けられており、インサート部材６側には対応する段差状の凹部６ｄが設けられている。
【００３３】
図１１は、支持部２ａの他の構成例を示すバックライト１の短手方向の断面図であり、光源４側から遠い側の部分（図の右側の部分）は省略されている。なお、一部が拡大されて示されている。図１１において、図１０に示された実施形態と異なるのは、凸部と凹部とが逆になっている点である。その他の構成は図１０と同様である。
【００３４】
すなわち、支持部２ａ側に断面が段差状の凹部２ｅが設けられており、インサート部材６側には対応する段差状の凸部６ｅが設けられている。
【００３５】
図１２は、支持部２ａの他の構成例を示すバックライト１の短手方向の断面図であり、光源４側から遠い側の部分（図の右側の部分）は省略されている。なお、一部が拡大されて示されている。図１２において、図８に示された実施形態と異なるのは、支持部２ａが貫通した孔ではなく、凹部により形成される点である。その他の構成は図８と同様である。
【００３６】
すなわち、図１２において、支持部２ａは、筐体２の底板の導光板５を収容する側の面に設けられた凹部により形成されている。凹部の底面２ｆに連なる内壁面には、支持部２ａ側に断面が略三角形状の凸部２ｇが底面２ｆに連なって設けられており、インサート部材６側には対応する略三角形状の凹部６ｆが設けられている。なお、インサート部材６には、図３〜図５におけるような蓋部６ａは設けられておらず、底面２ｆ側に蓋部を設けることはできないが、底面２ｆと反対側には設けられるようにしてもよい。
【００３７】
図１３は、支持部２ａの他の構成例を示す筐体２の正面図である。図１３において、筐体２の底面には、複数の支持部２ａ１〜２ａ３が設けられている。支持部２ａ１〜２ａ３は、帯状の支持部が長手方向に沿って複数に分割されたものとなっている。支持部２ａ１〜２ａ３としては、筐体２の底板を貫通する孔により形成されるもの（図３〜図５、図８〜図１１）でもよいし、筐体２の底板の導光板を収容する側の面に設けられた凹部により形成されるもの（図１２）でもよい。
【００３８】
支持部２ａ１〜２ａ３に挿入されるインサート部材６は、分割された支持部２ａ１〜２ａ３のそれぞれに対応して設けられる。図示の例では３分割された場合であるが、分割数はこれに限られない。分割された支持部２ａ１〜２ａ３におけるインサート部材６との固定の仕方については、短冊状（図３）でもよいし、飛島状（図４）でもよい。インサート部材６の断面形状は、前述した種々の形態（図３〜図５、図８〜図１２）が可能である。また、導光板５が中心を基準に配置される場合において、分割された支持部２ａ１〜２ａ３のそれぞれの長手方向に摺動可能な距離は、使用環境における温度変化による膨張・収縮が端部に集まるため、筐体２の中央側よりも端部側において大きくなる。これにより、導光板５の外側ほど膨張および収縮が大きくなるのに対応することができ、導光板５とインサート部材６とを固定する固定部材の剥離が防止され、導光板と部材との固定を容易に行うことができる。
【００３９】
図１４は、バックライト１の他の構成例における構成要素を示す分解斜視図であり、光源４として、頂面から発光するトップビュー型のＬＥＤが用いられる場合の例である。図１４において、筐体２には、複数の光源４が設けられた基板３と、導光板５とが装着される。基板３は、筐体２の側板の内面に固定され、導光板５は支持部２ａに設けられたインサート部材６に固定される。なお、筐体２と導光板５との間（インサート部材６との固定部分を除く）に反射シートが設けられる場合がある。また、導光板５の出射側にはプリズムシートや拡散シート等の光学シートが設けられる場合がある。
【００４０】
図１５は、バックライト１の短手方向の断面図であり、光源４側から遠い側の部分（図の右側の部分）は省略されている。図１５において、筐体２の側板の内面には基板３が固定され、基板３の上には光源４が設けられている。光源４はトップビュー型のＬＥＤであり、図の右方向に対して光を照射し、導光板５の側面に光が入射される。また、筐体２の底板には貫通孔によって支持部２ａが設けられており、支持部２ａにはインサート部材６が挿入されている。また、支持部２ａとインサート部材６との接触面の端部には、インサート部材６から筐体２の底板に沿って外方向に延伸した蓋部６ａが形成され、インサート部材６が支持部２ａにおいて長手方向以外に移動が規制されている。インサート部材６の短手方向には支持部２ａとの間に隙間が設けられていないが、長手方向と同様に、使用環境における温度変化による膨張・収縮を吸収する隙間が設けられてもよい。
【００４１】
導光板５とインサート部材６との固定の仕方については、短冊状（図３）でもよいし、飛島状（図４）でもよい。インサート部材６の断面形状は、前述した種々の形態（図３〜図５、図８〜図１２）が可能である。筐体２およびインサート部材６は複数に分割される形態（図１３）でもよい。
【００４２】
以上、本発明の実施形態について説明したが、本発明は上記実施形態に限定されるものではなく、その趣旨を逸脱しない限りにおいて種々の変更が可能である。
【００４３】
以上のように、実施形態に係る面状照明装置は、導光板と、導光板の一の側面に対向して配置された複数の光源と、導光板および複数の光源を収容する筐体と、を備え、筐体は、この筐体の底板に設けられた支持部と、この支持部に筐体の底面内で膨張および収縮が可能に支持された部材とを有し、部材の線膨張係数は、導光板の線膨張係数に近似して設定され、導光板の主面の一部は、固定部材を介して部材に固定される。これにより、導光板と部材とを固定する固定部材の剥離が防止され、導光板の固定が安定して行える。
【００４４】
また、支持部は、筐体の底板を貫通する孔により形成される。これにより、支持部を容易に形成することができる。
【００４５】
また、支持部は、筐体の底板の導光板を収容する側の面に設けられた凹部により形成される。これにより、支持部から部材の抜け落ち防止を実現することができる。
【００４６】
また、部材に固定される導光板の主面の一部は、複数の光源が配置される導光板の一の側面に沿って設けられる。これにより、光源の発光面と導光板の入光面の間のギャップ（距離）の安定化を図ることができるとともに、入光側を除く３辺の狭額縁化を実現することができる。
【００４７】
また、部材に固定される導光板の主面の一部は、少なくとも一つの固定部材を介して、部材に固定される。これにより、導光板と部材との固定を容易に行うことができる。
【００４８】
また、部材の筐体の底板の厚みに収容される部分は、膨張および収縮が可能な方向の長さが支持部の膨張および収縮が可能な方向の長さよりも短くされていて、部材と支持部との間に隙間が設けられている。これにより、使用環境における温度変化により部材が膨張・収縮しても、部材は支持部内に安定して支持される。
【００４９】
また、部材の筐体の底板の厚みに収容される部分における厚みの方向の端部には、部材から筐体の底板に沿って外方向に延伸した蓋部が設けられる。これにより、部材が支持部から抜け落ちるのを防止することができる。
【００５０】
また、部材の筐体の底板の厚みに収容される部分が膨張および収縮が可能な方向と筐体の底面内で直交する方向で支持部の内壁面と対向する面または内壁面の一方に凸部が設けられ、他方に凹部が設けられる。これにより、部材が支持部から抜け落ちるのを防止することができる。
【００５１】
また、支持部は、膨張および収縮が可能な方向に沿って複数に分割され、部材は、分割された支持部の各部分に対応して設けられ、導光板が中心を基準に配置される場合において、分割された支持部の各部分における膨張および収縮が可能な距離は、筐体の中央側よりも端部側において大きい。これにより、外側ほど膨張および収縮が大きくなるのに対応することができ、導光板と部材とを固定する固定部材の剥離が防止され、導光板と部材との固定を容易に行うことができる。
【００５２】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００５３】
１  バックライト，２  筐体，２ａ、２ａ１〜２ａ３  支持部，２ｂ、２ｄ、２ｇ  凸部，２ｃ、２ｅ  凹部，３  基板，４  光源，５  導光板，６  インサート部材，６ａ  蓋部，６ｂ、６ｄ  凹部，６ｃ、６ｅ  凸部，７  固定部材
【図１】
2020140861.tif 000003
【図２】
2020140861.tif 000004
【図３】
2020140861.tif 000005
【図４】
2020140861.tif 000006
【図５】
2020140861.tif 000007
【図６】
2020140861.tif 000008
【図７】
2020140861.tif 000009
【図８】
2020140861.tif 000010
【図９】
2020140861.tif 000011
【図１０】
2020140861.tif 000012
【図１１】
2020140861.tif 000013
【図１２】
2020140861.tif 000014
【図１３】
2020140861.tif 000015
【図１４】
2020140861.tif 000016
【図１５】
2020140861.tif 000017